(57)【特許請求の範囲】
【請求項１】
一対の脚部材と天板と、該天板の後方に取り外し可能に設ける後部材を有し、
該後部材は、第１板状部材と第２板状部材を有し、
前記第１板状部材及び第２板状部材を補助天板として用いることができ、第１板状部材又は第２板状部材を補助天板とした際に、他方の第２板状部材又は第１板状部材が背板となり、
第１板状部材を補助天板とした際の作業スペースの奥行きと、第２板状部材を補助天板とした際の作業スペースの奥行きとが異なることを特徴とするデスク。
【請求項２】
前記第１板状部材の端部を、前記第２板状部材の端部に固設して、前記第１板状部材と第２板状部材でＬ字状に形成したことを特徴とする請求項１記載のデスク。
【請求項３】
前記脚部材の上部前方に天板を取付け、前記脚部材の上部後方に第１板状部材又は第２板状部材を取り外し可能に設けることを特徴とする請求項１又は２記載のデスク。
【発明の詳細な説明】
【技術分野】
【０００１】
本発明は、デスクに関する。
【背景技術】
【０００２】
従来、子供の成長や、部屋の広さに合わせて、デスクの作業スペースの奥行きを変えることができるデスクが知られている。このデスクは、板状のパネル部材を垂直に起立させて背板として用いたり、天板の後方に天板と面一となるように水平に設けて副天板として用いることができるようになっている。パネル部材を副天板とした際には、天板の奥行きを拡張し、デスクの作業スペースの奥行きを拡張することができるものである（特許文献１参照）。
【先行技術文献】
【特許文献】
【０００３】
【特許文献１】特開平７−３１５１２号公報
【発明の概要】
【発明が解決しようとする課題】
【０００４】
前記従来のデスクでは、パネル部材を背板若しくは副天板の何れかにしか用いることができず、両方の機能を一度に発揮することができないという問題がある。
【０００５】
そこで、本発明は、デスクの作業スペースを変更した場合においても、天板の後方に常に背板を設けることができるデスクを提供することを目的とするものである。
【課題を解決するための手段】
【０００６】
前記の課題を解決するために、請求項１記載の発明は、一対の脚部材と天板と、該天板の後方に取り外し可能に設ける後部材を有し、
該後部材は、第１板状部材と第２板状部材を有し、
前記第１板状部材及び第２板状部材を補助天板として用いることができ、第１板状部材又は第２板状部材を補助天板とした際に、他方の第２板状部材又は第１板状部材が背板となり、
第１板状部材を補助天板とした際の作業スペースの奥行きと、第２板状部材を補助天板とした際の作業スペースの奥行きとが異なることを特徴とするものである。
【０００７】
請求項２記載の発明は、請求項１記載の発明において、前記第１板状部材の端部を、前記第２板状部材の端部に固設して、前記第１板状部材と第２板状部材でＬ字状に形成したことを特徴とするものである。
【０００８】
請求項３記載の発明は、請求項１又は２記載の発明において、前記脚部材の上部前方に天板を取付け、前記脚部材の上部後方に第１板状部材又は第２板状部材を取り外し可能に設けることを特徴とするものである。
【発明の効果】
【０００９】
本発明によれば、前記第１板状部材及び第２板状部材を補助天板として用いて、その作業スペースの奥行きを変えることができる。また、第１板状部材又は第２板状部材を補助天板とした際に、他方の第２板状部材又は第１板状部材を背板とすることができるために、作業スペースの奥行きを変更した際にも、背板を保持することができ基本機能は変わらず、例えば、背板をブックエンドとした場合にその機能を常に保持することができる。
【００１０】
また、後部材の取り付け方法を変えるだけで、作業スペースの奥行きを変えることができるため、作業スペースの奥行きを変えるために他の部品を必要としない。
【図面の簡単な説明】
【００１１】
【図１】本発明の実施例１を示すデスクの正面図。
【図２】図１の上面図。
【図３】図１の右側面図。
【図４】図１の斜視図。
【図５】図２の状態から後部材を付け替えた状態の上面図。
【図６】図５の右側面図。
【図７】図５の斜視図。
【図８】図２の状態から後部材を取り外した状態の上面図。
【図９】図８の右側面図。
【図１０】図８の斜視図。
【発明を実施するための形態】
【００１２】
本発明を実施するための形態を図に示す実施例に基づいて説明する。
【００１３】
［実施例１］
図１は、実施例１のデスク１の正面図、図２はデスク１の上面図、図３はデスク１の右側面図、図４はデスク１の斜視図である。以下において、デスク１の着席者側を前側、反対側を後側、左右方向を横方向として説明する。
【００１４】
デスク１は、天板２と左右一対の脚部材３，３と後部材４を有する。左右夫々の脚部材３は、上方に向かうほど後方へ傾斜する前脚３ａと、略垂直に設けた後脚３ｂを有し、該前脚３ａの中間部と後脚３ｂの中間部間に桟３ｃを架設し、前脚３ａと後脚３ｂの上端には、両脚３ａ，３ｂに渡って前後方向に取付部材５が固設されている。左右の取付部材５，５には、夫々上下方向に貫通する取付穴９が前後方向に５個形成されている。また、左右の後脚３ｂ，３ｂ間には幕板６が設けられている。
【００１５】
天板２は、図２，５，８に示すように、長方形状に形成され、天板２の奥行き（前後方向の長さ）は、取付部材５の前後方向の長さよりも短く設定されている。左右の取付部材５，５の上部の前側には天板２が載置され、前側の３個の取付穴９に下方からボルト８を挿通し、天板の裏面に設けられたナット１０に螺合することにより天板２が取付部材５，５の前方に取付けられ、図８，９に示すように、天板２の後端２ａは、取付部材５の後端よりも前方に位置し、後側の２個の取付穴９の上部には天板２が位置しないようになっている。
【００１６】
後部材４は、方形状の第１板状部材１１と、方形状の第２板状部材１２を有し、第１板状部材１１の端部が、第２板状部材１２の端部に直交するように固設され第１板状部材１１と第２板状部材１２は、縦断面形状がＬ字状に形成されている。
【００１７】
第１板状部材１１と第２板状部材１２の横方向の幅は、天板２の横方向の幅と略同じに設定されている。また、第１板状部材１１の横方向と直交する方向における最大の長さＬ１は、第２板状部材１２の横方向と直交するに方向における最大の長さＬ２よりも短く設定され、本実施例では、第１板状部材１１の横方向と直交する最大の長さＬ１は、第２板状部材１２の横方向と直交する最大の長さＬ２よりも１０ｃｍ短く設定した。
【００１８】
第１板状部材１１と第２板状部材１２の両側端部には、両板状部材１１，１２間に渡って側部材１３，１３が固設され、この側部材１３，１３間には、仕切部材１４，１４が左右方向に移動可能に設けられている。
【００１９】
天板２の下部には抽斗１７が前側方向に出し入れ可能に設けられている。抽斗１７は、図１〜３に示すように右側に設けることもできるし、左側に設けることもできるようになっている。
【００２０】
左右の取付部材５，５の上部で、かつ、天板２の後部に、第１板状部材１１又は第２板状部材１２を載置し、取付部材５，５における後側の２個の取付穴９に下方からボルト８を挿通し、第１板状部材１１又は第２板状部材１２に設けられたナット１０に螺合することにより第１板状部材１１又は第２板状部材１２を取付部材５，５に取付け、第１板状部材１１又は第２板状部材１２の端面１１ａ，１２ａを天板２の後端２ａに当接若しくは近接させて補助天板として用いることができるようになっている。第１板状部材１１又は第２板状部材１２を、補助天板として用いた際に、天板２の上面と補助天板である第１板状部材１１又は第２板状部材１２の上面とが略平行となるように、本実施例では、天板２の上面と補助天板である第１板状部材１１又は第２板状部材１２の上面が面一になるように設定されている。
【００２１】
本発明のデスク１は、上記のような構造を有するために、次のような作用効果を発揮することができる。
【００２２】
図３に示すように、第１板状部材１１を補助天板として用いた際の作業スペースの奥行きと、図６に示すように、第２板状部材１２を補助天板として用いた際の作業スペースの奥行きは異なり、部屋の大きさや、使用する子供の成長に応じてデスク１の作業スペースの奥行きを、後部材４の取り付け方法を変更するだけで変えることができる。
【００２３】
また、第１板状部材１１又は第２板状部材１２を補助天板として用いた際に、他方の第２板状部材１２又は第１板状部材１１は、図３，６に示すように背板としての機能を果たすために基本機能は変わらず、後部材４は常に背板を有し、例えば、背板をブックエンドとした場合にはその機能を常に発揮することができる。
【００２４】
また、ボルト８により、第１板状部材１１又は第２板状部材１２と取付部材５，５との取付け及び取外しを行うため、簡易にデスク１の作業スペースの奥行きを変更することができるととともに、作業スペースの奥行きの変更に伴い、関連する部材や部品を過不足なく使用するために、部品等の保管場所を確保する必要がなく、部品管理が容易である。
【００２５】
後部材４は、第１板状部材１１と第２板状部材１２がＬ字状に連結されているために、互いが補強する構造となり、撓み等が生じにくくなっている。更に、両板状部材１１，１２間に渡って側部材１３，１３を設けたことにより、側部財１３が補強材の役割を果たし、より撓み等の変形が生じにくくなっている。
【００２６】
なお、取付部材５，５に天板２と後部材４を取付けることができればよく、取付部材５，５に設けた取付穴９の数は任意に設定することができる。また、その取り付け方法も上記の方法に限定されず、任意の取付け方法を用いることができる。
【００２７】
前記実施例では、脚部材３の上端に取付部材５を設けたが、取付部材５は脚部材３の上方に設けられていればよく、天板２を、脚部材３の上部前方に取付け、第１板状部材１１又は第２板状部材１２を、脚部材３の上部後方に取外し可能に取り付け、脚部材３の一部が、天板２より上方に突出してもよい。
【００２８】
また、前記実施例１では、天板２と、第１板状部材１１と、第２板状部材１２の横方向の長さを同一に設定したが、その長さは異なるように設定してもよい。
【００２９】
また、前記実施例では、天板２、第１板状部材１１、第２板状部材１２を方形状に形成したが、天板２の後端２ａに、板状部材１１（１２）の端面１１ａ（１２ａ）を当接若しくは近接するように、天板２と板状部材１１（１２）を取付部材５に取付けることができれば、夫々の上面形状は任意に設定することができる。例えば、天板２の後端２ａを円弧等の曲面に形成し、板状部材１１（１２）の端面１１ａ（１２ａ）を天板２の後端２ａに対応した形状に形成する。この場合においても、第１板状部材１１の横方向と直交する方向における最大の長さは、第２板状部材１２の横方向と直交するに方向における最大の長さとは異なるように設定されている。
【００３０】
また、前記実施例１では、後部材４を１つの部材で構成したが、左右に２個以上の部材に分割して構成してもよい。
【符号の説明】
【００３１】
１  デスク
２  天板
３  脚部材
４  後部材
１１  第１板状部材
１２  第２板状部材
【図１】
0006283575.tif 000002
【図２】
0006283575.tif 000003
【図３】
0006283575.tif 000004
【図４】
0006283575.tif 000005
【図５】
0006283575.tif 000006
【図６】
0006283575.tif 000007
【図７】
0006283575.tif 000008
【図８】
0006283575.tif 000009
【図９】
0006283575.tif 000010
【図１０】
0006283575.tif 000011